(57)【特許請求の範囲】
【請求項１】
底壁と底壁から立設した複数の立設壁とを有し、かつ端部に湾曲した湾曲部が設けられているとともに、ワイヤハーネスを収容するプロテクタ本体と、
前記立設壁の少なくとも互いに相対する内面に設けられかつ前記ワイヤハーネスを前記プロテクタ本体に位置決めする位置決め部と、を備えたハーネス用プロテクタにおいて、
前記位置決め部が、前記湾曲部に連なりかつ当該湾曲部よりも前記プロテクタ本体の中央寄りに設けられた直線部に設けられ、
前記プロテクタ本体は、前記湾曲部において、前記底壁と一対の前記立設壁とを有するとともに、該一対の立設壁のうち一方と該底部との一部を切り欠いた切欠き部が形成されていることを特徴とするハーネス用プロテクタ。
【請求項２】
前記位置決め部は、少なくとも前記立設壁の互いに相対する内面から凸で、かつ前記直線部の長手方向に互いに間隔をあけて設けられているとともに、前記直線部の長手方向に対して直交する方向に直線状に延在した位置決め突起を備えていることを特徴とする請求項１記載のハーネス用プロテクタ。
【請求項３】
前記プロテクタ本体に取り付けられて前記プロテクタ本体の前記立設壁間を塞ぐ蓋体と、
前記蓋体の前記位置決め部に相対する表面に設けられかつ前記ワイヤハーネスを前記プロテクタ本体に位置決めする補助位置決め部と、
を備えたことを特徴とする請求項１又は請求項２記載のハーネス用プロテクタ。
【請求項４】
補助位置決め部は、前記蓋体の前記位置決め部に相対する表面から凸で、かつ前記蓋体の長手方向に互いに間隔をあけて設けられているとともに、前記蓋体の長手方向に対して直交する方向に直線状に延在した補助位置決め突起を備えていることを特徴とする請求項３記載のハーネス用プロテクタ。
【発明の詳細な説明】
【技術分野】
【０００１】
本発明は、自動車などに配索されるワイヤハーネスを保護するハーネス用プロテクタに関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ワイヤハーネスを配索している。ワイヤハーネスは、複数の電線と、当該電線の端末に設けられるコネクタとを備えている。また、ワイヤハーネスには、前記電線を収容して当該電線を保護するハーネス用プロテクタ（例えば、特許文献１参照）が取り付けられている。
【０００４】
特許文献１などに示された従来のハーネス用プロテクタは、底壁と当該底壁の両縁から立設した一対の側壁とを備えて断面樋状に形成されたプロテクタ本体と、前記プロテクタ本体の一対の側壁間を塞いだ状態で当該プロテクタ本体に取り付けられる蓋体とを備えている。ハーネス用プロテクタは、プロテクタ本体内に前述した複数の電線を収容して、当該複数の電線を保護する。また、ハーネス用プロテクタは、プロテクタ本体に前述した電線を固定するために、当該プロテクタ本体や蓋体の内面から凸でかつ前記プロテクタ本体の長手方向に対して直交する方向に延在した位置決め突起を備えている。
【０００５】
前述した従来のハーネス用プロテクタは、電線がコルゲートチューブ内に通されている場合には、前記位置決め突起がプロテクタ本体の長手方向に沿って互いに間隔をあけて複数設けられており、当該位置決め突起がコルゲートチューブの凹条溝内に侵入することで、コルゲートチューブを介して前述した電線をプロテクタ本体に位置決めする。
【先行技術文献】
【特許文献】
【０００６】
【特許文献１】実開昭６２−１１９１０９号公報
【発明の概要】
【発明が解決しようとする課題】
【０００７】
前述した特許文献１などに示された従来のハーネス用プロテクタは、収容する電線が湾曲された状態で前述した自動車に配索される際には、勿論、プロテクタ本体や蓋体が湾曲した状態に形成されている。この場合、コルゲートチューブの凹条溝内に侵入する位置決め突起間の間隔を当該コルゲートチューブの凸条部の幅とする必要が生じるが、当該凸条部の幅がワイヤハーネス即ちコルゲートチューブの湾曲により変化するために、ハーネス用プロテクタの湾曲する部分に設ける場合には、位置決め突起間の間隔を定めることが困難であった。よって、ハーネス用プロテクタの湾曲する部分に前述した位置決め突起を設けることは困難となり、当該位置決め突起をプロテクタ本体や蓋体の直線状に延在した部分に設ける必要がある。
【０００８】
このように、ハーネス用プロテクタ内で電線を湾曲させても、プロテクタ本体や蓋体の端部に直線状に延在した部分を設け、当該直線状に延在した部分に前述した位置決め突起を設けなければならなかった。このため、自動車などに前述したワイヤハーネスを湾曲させた状態で配索する際に、当該ワイヤハーネスの曲率半径が大きくなる傾向があって、ワイヤハーネスをよりコンパクトに配索することが困難となる傾向であった。
【０００９】
したがって、本発明の目的は、湾曲したワイヤハーネスをよりコンパクトに配索することを可能とするハーネス用プロテクタを提供することにある。
【課題を解決するための手段】
【００１０】
前記課題を解決し目的を達成するために、請求項１に記載の本発明のハーネス用プロテクタは、底壁と底壁から立設した複数の立設壁とを有し、かつ端部に湾曲した湾曲部が設けられているとともに、ワイヤハーネスを収容するプロテクタ本体と、前記立設壁の少なくとも互いに相対する内面に設けられかつ前記ワイヤハーネスを前記プロテクタ本体に位置決めする位置決め部と、を備えたハーネス用プロテクタにおいて、前記位置決め部が、前記湾曲部に連なりかつ当該湾曲部よりも前記プロテクタ本体の中央寄りに設けられた直線部に設けられ、前記プロテクタ本体は、前記湾曲部において、前記底壁と一対の前記立設壁とを有するとともに、該一対の立設壁のうち一方と該底部との一部を切り欠いた切欠き部が形成されていることを特徴としている。
【００１１】
請求項２に記載の本発明のハーネス用プロテクタは、請求項１に記載のハーネス用プロテクタにおいて、前記位置決め部は、少なくとも前記立設壁の互いに相対する内面から凸で、かつ前記直線部の長手方向に互いに間隔をあけて設けられているとともに、前記直線部の長手方向に対して直交する方向に直線状に延在した位置決め突起を備えていることを特徴としている。
【００１２】
請求項３に記載の本発明のハーネス用プロテクタは、請求項１又は請求項２に記載のハーネス用プロテクタにおいて、前記プロテクタ本体に取り付けられて前記プロテクタ本体の前記立設壁間を塞ぐ蓋体と、前記蓋体の前記位置決め部に相対する表面に設けられかつ前記ワイヤハーネスを前記プロテクタ本体に位置決めする補助位置決め部と、を備えたことを特徴としている。
【００１３】
請求項４に記載の本発明のハーネス用プロテクタは、請求項３に記載のハーネス用プロテクタにおいて、補助位置決め部は、前記蓋体の前記位置決め部に相対する表面から凸で、かつ前記蓋体の長手方向に互いに間隔をあけて設けられているとともに、前記蓋体の長手方向に対して直交する方向に直線状に延在した補助位置決め突起を備えていることを特徴としている。
【００１４】
請求項１に記載した本発明のハーネス用プロテクタによれば、ワイヤハーネスをプロテクタ本体に位置決めする位置決め部を設けた直線部を、湾曲部よりもプロテクタ本体の中央寄りに配置しているので、プロテクタ本体の湾曲部で湾曲したままのワイヤハーネスを当該プロテクタ本体外に導き出すことができる。
【００１５】
請求項２に記載した本発明のハーネス用プロテクタによれば、位置決め部がプロテクタ本体の内面から凸で、かつ長手方向に間隔をあけて複数設けられているとともに、幅方向に直線状に延在した位置決め突起を備えているので、位置決め部間にワイヤハーネスのコルゲートチューブの凸条部を挟み込むことで、プロテクタ本体にワイヤハーネスを固定することができる。
【００１６】
請求項３に記載した本発明のハーネス用プロテクタによれば、蓋体の位置決め部に相対する表面に補助位置決め部を設けているので、当該補助位置決め部を蓋体の直線状に延在した部分に設けることができる。このために、補助位置決め部を蓋体に確実に設けることができる。
【００１７】
請求項４に記載した本発明のハーネス用プロテクタによれば、補助位置決め部が蓋体の表面から凸で、かつ長手方向に間隔をあけて複数設けられているとともに、幅方向に直線状に延在した補助位置決め突起を備えているので、補助位置決め部間にワイヤハーネスのコルゲートチューブの凸条部を挟み込むことで、蓋体即ちプロテクタ本体にワイヤハーネスを固定することができる。
【発明の効果】
【００１８】
以上説明したように、請求項１に記載の本発明は、プロテクタ本体の湾曲部で湾曲したままのワイヤハーネスを当該プロテクタ本体外に導き出すことができる。したがって、ワイヤハーネスを湾曲した状態に配索する際に、ハーネス用プロテクタから導出されたワイヤハーネスを直ぐに湾曲させることができる。したがって、当該ワイヤハーネスの曲率半径を小さくすることができ、このワイヤハーネスをよりコンパクトに配索することが可能となる。
【００１９】
請求項２に記載の本発明は、位置決め部間にワイヤハーネスのコルゲートチューブの凸条部を挟み込むことで、プロテクタ本体にワイヤハーネスを固定することができる。よって、プロテクタ本体即ちハーネス用プロテクタにワイヤハーネスを確実に固定することができる。
【００２０】
請求項３に記載の本発明は、補助位置決め部を蓋体に確実に設けることができるので、位置決め部とともに当該補助位置決め部により、ワイヤハーネスをプロテクタ本体などに確実に固定することができる。
【００２１】
請求項４に記載の本発明は、補助位置決め部間にワイヤハーネスのコルゲートチューブの凸条部を挟み込むことで、蓋体即ちプロテクタ本体にワイヤハーネスを固定することができる。よって、プロテクタ本体即ちハーネス用プロテクタにワイヤハーネスをより一層確実に固定することができる。
【図面の簡単な説明】
【００２２】
【図１】本発明の一実施形態にかかるハーネス用プロテクタをワイヤハーネスに取り付けた状態を示す斜視図である。
【図２】図１に示されたハーネス用プロテクタをワイヤハーネスに取り付けた状態を示す他の斜視図である。
【図３】図１に示されたハーネス用プロテクタの分解斜視図である。
【図４】図３に示されたハーネス用プロテクタのプロテクタ本体の平面図である。
【図５】図３に示されたハーネス用プロテクタの蓋体の斜視図である。
【図６】図４に示されたプロテクタ本体内にワイヤハーネスを収容した状態を示す平面図である。
【発明を実施するための形態】
【００２３】
以下、本発明の一実施形態にかかるハーネス用プロテクタ１（以下、単にプロテクタと呼ぶ）を、図１乃至図６を参照して説明する。
【００２４】
本発明の一実施形態にかかるプロテクタ１は、移動体としての自動車などのパネルに取り付けられて、自動車などに配索されるワイヤハーネス２を保護するとともに、該ワイヤハーネス２をパネル即ち車体に位置決めする。
【００２５】
ワイヤハーネス２は、例えば、ハイブリッド自動車や電気自動車などのモータの駆動力により走行可能な自動車に配索される。モータには、インバータを介して電源装置としてのバッテリからの電力が供給される。
【００２６】
本実施形態のワイヤハーネス２は、モータとインバータとを互いに電気的に接続して、インバータからモータへ又はモータからインバータへと電力を供給する。前述したモータ、及びインバータは、自動車を走行する際に必要とされる電力が供給されたり、供給する電源装置をなしている。こうして、本実施形態のワイヤハーネス２は、電源装置同士を電気的に接続している。
【００２７】
ワイヤハーネス２は、図１及び図２に示すように、少なくとも一本の電線３（図示例では、三本）と、これら三本の電線３を収容した大径コルゲートチューブ４（図１のみに示す）と、それぞれ一本の電線３を収容した複数（図示例では、三本）のコルゲートチューブとしての小径コルゲートチューブ５と、それぞれの電線３の端末に取り付けられた端子金具６とを備えている。
【００２８】
電線３は、導電性の芯線と、絶縁性の被覆部とを備えている。芯線は、複数の導電性の素線が撚られて形成されている。芯線を構成する素線は、銅又は銅合金などの導電性の金属で構成されている。また、芯線は、一本の素線で構成されてもよい。被覆部は、ポリ塩化ビニルなどの合成樹脂で構成されている。被覆部は、芯線を被覆している。
【００２９】
大径コルゲートチューブ４は、絶縁性の合成樹脂としての熱可塑性樹脂で構成されている。大径コルゲートチューブ４は、断面円形の筒状に形成されている。また、大径コルゲートチューブ４は、図６に示すように、周方向に延在した凹条溝７と周方向に延在した凸条部７とが長手方向に交互に配列されて、外表面が蛇腹状に形成されているとともに、全体が均一の肉厚に形成されている。勿論、凹条溝７の内外径が、凸条部８の内外径よりも小さく形成されている。
【００３０】
大径コルゲートチューブ４は、前述した三本の電線３の長手方向の中央部を収容している。当該三本の電線３と固定されている。
【００３１】
小径コルゲートチューブ５は、絶縁性の合成樹脂としての熱可塑性樹脂で構成されている。小径コルゲートチューブ５は、断面円形の筒状に形成されている。また、小径コルゲートチューブ５は、その内外径が大径コルゲートチューブ４の内外径よりも十分に小さく形成されている。さらに、小径コルゲートチューブ５は、大径コルゲートチューブ４と同様に、図６に示すように、周方向に延在した凹条溝９と周方向に延在した凸条部１０とが長手方向に交互に配列されて、外表面が蛇腹状に形成されているとともに、全体が均一の肉厚に形成されている。勿論、凹条溝９の内外径が、凸条部１０の内外径よりも小さく形成されている。小径コルゲートチューブ５は、それそれ、大径コルゲートチューブ４外に露出した一本の電線３の端末を収容して、当該一本の電線３と固定されている。
【００３２】
端子金具６は、導電性の厚手の板金で構成され、電線３の端末に取り付けられている。端子金具６は、芯線即ち電線３と電気的に接続して、前述したモータやインバータに設けられた端子台などに接続する。
【００３３】
プロテクタ１は、図３に示すように、プロテクタ本体１１と、位置決め部１２と、蓋体１３と、補助位置決め部１４（図５に示す）とを備えている。プロテクタ本体１１は、絶縁性の合成樹脂で構成され、底壁１５と、当該底壁１５の両縁から立設した一対の立設壁としての側壁１６とを備えて、樋状に形成されている。また、プロテクタ本体１１は、図４に示すように、前述した底壁１５と一対の側壁１６とでそれぞれが構成された大径直線部１７と、直線部としての小径直線部１８と、湾曲部１９とが互いに直列に連なって構成されている。即ち、湾曲部１９は、プロテクタ本体１１の端部に設けられている。
【００３４】
大径直線部１７は、直線状に延在している。大径直線部１７には、大径位置決め部２０が設けられている。大径位置決め部２０は、一対の大径位置決め突起２１を複数対（図示例では、三対）備えている。大径位置決め突起２１は、それぞれ、互いに相対する側壁１６の内面及び底壁１５の表面から凸に形成されているとともに、大径直線部１７の長手方向に対して直交する方向に沿って直線状に延在している。一対の大径位置決め突起２１は、大径直線部１７の長手方向に互いに間隔をあけて配置されている。
【００３５】
また、一対の大径位置決め突起２１間の間隔は、それぞれ、大径コルゲートチューブ４の凸条部８の当該大径コルゲートチューブ４の長手方向の幅と等しく形成されている。大径位置決め突起２１は、前述した側壁１６の内面及び底壁１５の表面から突出して、半円環状に形成されている。また、大径位置決め突起２１の内径は、大径コルゲートチューブ４の凹条溝７の外径と略等しく形成されている。三対の大径位置決め突起２１は、大径直線部１７の長手方向に互いに間隔をあけて配置されている。
【００３６】
小径直線部１８は、図４に示すように、大径直線部１７の端に連なりかつ直線状に延在している。小径直線部１８の長手方向と大径直線部１７の長手方向とは、互いに交差している。なお、図示例では、小径直線部１８の長手方向と大径直線部１７の長手方向とのなす角度は、非常に小さい角度となっている。また、小径直線部１８の湾曲部１９寄りの端部には、底壁１５の長手方向の中央から立設壁としての仕切り壁２２が立設している。
【００３７】
小径直線部１８の各側壁１６と仕切り壁２２との間には、それぞれ、前記位置決め部１２が設けられている。即ち、位置決め部１２は、二つ設けられ、かつこれら二つの位置決め部１２は、小径直線部１８の幅方向に並べられている。位置決め部１２は、それぞれ、一対の位置決め突起２３を複数対（図示例では、三対）備えている。位置決め突起２３は、それぞれ、互いに相対する側壁１６と仕切り壁２２の内面及び底壁１５の表面から凸に形成されているとともに、小径直線部１８の長手方向に対して直交する方向に沿って直線状に延在している。一対の位置決め突起２３は、小径直線部１８の長手方向に互いに間隔をあけて配置されている。
【００３８】
また、一対の位置決め突起２３間の間隔は、それぞれ、小径コルゲートチューブ５の凸条部１０の当該小径コルゲートチューブ５の長手方向の幅と等しく形成されている。さらに、位置決め突起２３は、前述した側壁１６及び仕切り壁２２の内面及び底壁１５の表面から突出して、半円環状に形成されている。また、位置決め突起２３の内径は、小径コルゲートチューブ５の凹条溝９の外径と略等しく形成されている。三対の位置決め突起２３は、大径直線部１７の長手方向に互いに間隔をあけて配置されている。
【００３９】
湾曲部１９は、図４に示すように、大径直線部１７の端に連なり、かつ底壁１５が平坦となりかつ一対の側壁１６が互いに平行になるように湾曲している。湾曲部１９では、一対の側壁１６のうちの外周側の一方の側壁１６と底壁１５の一部を切り欠いた切欠き部２４が設けられている。切欠き部２４は、当該一方の側壁１６の小径直線部１８から離れた側の端部以外の部分を切り欠いている。また、切欠き部２４は、底壁１５の小径直線部１８から離れた側の端部以外の外周側半分を切り欠いている。さらに、湾曲部１９の小径直線部１８から離れた側の端部の底壁１５には、図３に示すように、幅方向の中央に前述した電線３を一本収容できる凹み３０が設けられている。
【００４０】
また、プロテクタ本体１１には、複数の固定用フランジ２５が設けられている。固定用フランジ２５は、プロテクタ本体１１の外表面から突出した平板状に形成されている。固定用フランジ２５には、前述したパネルに設けられたウェルドナットなどに螺合するボルトを通す通し孔２６が設けられている。
【００４１】
前述した構成のプロテクタ本体１１は、図６に示すように、大径コルゲートチューブ４の端部を大径直線部１７内に収容し、小径コルゲートチューブ５を小径直線部１８及び湾曲部１９内に通して、プロテクタ本体１１外に導く。このとき、大径コルゲートチューブ４の端部の凸条部８を大径位置決め突起２１間に挿入して、当該大径コルゲートチューブ４をプロテクタ本体１１に位置決めする。また、三本の小径コルゲートチューブ５即ち三本の電線３のうちの二本を仕切り壁２２よりも内側に通し、残りの一本を仕切り壁２２よりも外側に通す。そして、仕切り壁２２よりも内側に通された二本の電線３のうちの一本の電線３を凹み３０内に通す。さらに、小径コルゲートチューブ５の端部の凸条部１０を位置決め突起２３間に挿入して、当該小径コルゲートチューブ５をプロテクタ本体１１に位置決めする。こうして、プロテクタ本体１１内にワイヤハーネス２を収容する。
【００４２】
蓋体１３は、絶縁性の合成樹脂で構成され、かつ平面形状がプロテクタ本体１１の底壁１５の平面形状と等しい平板状に形成されている。蓋体１３は、プロテクタ本体１１の一対の側壁１６間を塞いだ格好で、当該プロテクタ本体１１に取り付けられる。蓋体１３のプロテクタ本体１１に設けられた位置決め部１２に相対する表面１３ａには、図５に示すように、大径補助位置決め部２７と、前記補助位置決め部１４が設けられている。
【００４３】
大径補助位置決め部２７は、蓋体１３の表面１３ａのプロテクタ本体１１の大径位置決め部２０に相対する位置に設けられている。即ち、大径補助位置決め部２７は、プロテクタ本体１１の直線状に延在した部分に設けられている。大径補助位置決め部２７は、一対の大径補助位置決め突起２８を複数対（図示例では、三対）備えている。大径補助位置決め突起２８は、それぞれ、蓋体１３の表面１３ａから凸に形成されているとともに、蓋体１３の長手方向に対して直交する方向に沿って直線状に延在している。一対の大径補助位置決め突起２８は、蓋体１３の長手方向に互いに間隔をあけて配置されている。
【００４４】
また、一対の大径補助位置決め突起２８間の間隔は、それぞれ、大径コルゲートチューブ４の凸条部８の当該大径コルゲートチューブ４の長手方向の幅と等しく形成されている。大径補助位置決め突起２８は、前述した蓋体１３の表面１３ａから突出して、円弧状に形成されている。また、大径補助位置決め突起２８の曲率半径は、大径コルゲートチューブ４の凹条溝７の外径と略等しく形成されている。三対の大径補助位置決め突起２８は、蓋体１３の長手方向に互いに間隔をあけて配置されている。
【００４５】
補助位置決め部１４は、蓋体１３の表面１３ａのプロテクタ本体１１の位置決め部１２に相対する位置に設けられている。即ち、補助位置決め部１４は、プロテクタ本体１１の直線状に延在した部分に設けられている。補助位置決め部１４は、二つ設けられ、かつこれら二つの補助位置決め部１４は、蓋体１３の幅方向に並べられている。補助位置決め部１４は、それぞれ、一対の補助位置決め突起２９を複数対（図示例では、三対）備えている。補助位置決め突起２９は、それぞれ、蓋体１３の表面１３ａから凸に形成されているとともに、蓋体１３の長手方向に対して直交する方向に沿って直線状に延在している。一対の補助位置決め突起２９は、蓋体１３の長手方向に互いに間隔をあけて配置されている。
【００４６】
また、一対の補助位置決め突起２９間の間隔は、それぞれ、小径コルゲートチューブ５の凸条部１０の当該小径コルゲートチューブ５の長手方向の幅と等しく形成されている。さらに、補助位置決め突起２９は、蓋体１３表面１３ａから突出して、円弧状に形成されている。また、補助位置決め突起２９の曲率半径は、小径コルゲートチューブ５の凹条溝９の外径と略等しく形成されている。三対の位置決め突起２３は、蓋体１３の長手方向に互いに間隔をあけて配置されている。
【００４７】
前述した蓋体１３は、一対の側壁１６間を塞いだ格好で、プロテクタ本体１１に取り付けられる。このとき、大径コルゲートチューブ４の端部の凸条部８を大径補助位置決め突起２８間に挿入して、当該大径コルゲートチューブ４を位置決めする。小径コルゲートチューブ５の端部の凸条部１０を補助位置決め突起２９間に挿入して、当該小径コルゲートチューブ５を位置決めする。さらに、蓋体１３は、大径補助位置決め部２７が大径位置決め部２０との間に大径コルゲートチューブ４を挟み込み、補助位置決め部１４が位置決め部１２との間に小径コルゲートチューブ５を挟み込む。
【００４８】
本実施形態によれば、ワイヤハーネス２をプロテクタ本体１１に位置決めする位置決め部１２を設けた小径直線部１８を、湾曲部１９よりもプロテクタ本体１１の中央寄りに配置しているので、プロテクタ本体１１の湾曲部１９で湾曲したままのワイヤハーネス２を当該プロテクタ本体１１外に導き出すことができる。
【００４９】
このために、ワイヤハーネス２を湾曲した状態に配索する際に、プロテクタ１から導出されたワイヤハーネス２を直ぐに湾曲させることができる。したがって、ワイヤハーネス２の曲率半径を小さくすることができ、このワイヤハーネス２をよりコンパクトに配索することが可能となる。
【００５０】
また、位置決め部１２がプロテクタ本体１１の側壁１６及び仕切り壁２２の内面から凸で、かつ長手方向に間隔をあけて複数設けられているとともに、幅方向に直線状に延在した位置決め突起２３を備えているので、位置決め部１２間にワイヤハーネス２の小径コルゲートチューブ５の凸条部１０を挟み込むことで、プロテクタ本体１１にワイヤハーネス２を固定することができる。よって、プロテクタ本体１１即ちプロテクタ１にワイヤハーネス２を確実に固定することができる。
【００５１】
蓋体１３の位置決め部１２に相対する表面１３ａに補助位置決め部１４を設けているので、当該補助位置決め部１４を蓋体１３の直線状に延在した部分に設けることができる。このために、補助位置決め部１４を蓋体に確実に設けることができる。位置決め部１２とともに当該補助位置決め部１４により、ワイヤハーネス２をプロテクタ本体１１などに確実に固定することができる。
【００５２】
補助位置決め部１４が、蓋体１３の表面１３ａから凸でかつ長手方向に間隔をあけて複数設けられているとともに、幅方向に直線状に延在した補助位置決め突起２９を備えているので、補助位置決め部１４間にワイヤハーネス２の小径コルゲートチューブ５の凸条部１０を挟み込むことで、蓋体１３即ちプロテクタ本体１１にワイヤハーネス２を固定することができる。よって、プロテクタ本体１１即ちハーネス用プロテクタ１にワイヤハーネス２をより一層確実に固定することができる。
【００５３】
さらに、プロテクタ本体１１の湾曲部１９の外周側に位置する側壁１６などに切欠き部２４を設けている。このために、小径コルゲートチューブ５の長さが多少長い場合であっても、切欠き部２４を通して当該小径コルゲートチューブ５をプロテクタ本体１１の外周側に膨らまして、当該プロテクタ本体に取り付けることができる。したがって、小径コルゲートチューブ５の長さに誤差がある場合であっても、当該小径コルゲートチューブ５をプロテクタ１に取り付けることができる。
【００５４】
前述した実施形態は本発明の代表的な形態を示したに過ぎず、本発明は、実施形態に限定されるものではない。本発明の骨子を逸脱しない範囲で種々変形して実施することができる。即ち、前述した実施形態では、電源装置に接続した電線３をプロテクタ本体１１内に収容したが、本発明は、これに限らず、電子機器に接続した信号を伝送する電線をプロテクタ本体１１内に収容するようにしても良い。また、本発明では、側壁１６及び仕切り壁２２に位置決め突起２３を設けて、位置決め突起２３を底壁１５に設けなくてもよい。
【符号の説明】
【００５５】
１  ハーネス用プロテクタ
２  ワイヤハーネス
１１  プロテクタ本体
１２  位置決め部
１３  蓋体
１３ａ  表面
１４  補助位置決め部
１５  底壁
１６  側壁（立設壁）
１８  小径直線部（直線部）
１９  湾曲部
２２  仕切り壁（立設壁）
２３  位置決め突起
２９  補助位置決め突起
【図１】
0005718046.tif 000002
【図２】
0005718046.tif 000003
【図３】
0005718046.tif 000004
【図４】
0005718046.tif 000005
【図５】
0005718046.tif 000006
【図６】
0005718046.tif 000007